(57)【要約】【課題】改良されたネジ山形成工具を提供する【解決手段】ネジ山形成工具は、第一の端部(6)に接続部(8)と、第二の端部(10)にネジ山形成部(12)とを有する長くしたボデー(4)を含み、前記ネジ山形成部(12)は、前記ボデーの周囲に少なくとも１つの環状の山(14)を含む。この発明によれば、前記山の中心での前記ボデーの横断面が非円形を有する。【選択図】図１
2005506207.tif 000002
【特許請求の範囲】
【請求項１】
第一の端部(6)に接続部(8)と、第二の端部(10)にネジ山形成部(12)とを有する長くしたボデー(4)を含み、前記ネジ山形成部(12)は前記ボデーの周囲に少なくとも１つの環状の山(14)を含み、前記山の中心での前記ボデーの横断面が非円形を有することを特徴とするネジ山形成工具。
【請求項２】
前記横断面が少なくとも３つのローブ（lobe）(18)を含む、請求項１に記載のネジ山形成工具。
【請求項３】
前記環状の山(14)が前記長くしたボデーの軸方向の延長に対して垂直である請求項１又は請求項２に記載のネジ山形成工具。
【請求項４】
前記環状の山(14)を、冷却液の供給を可能とする少なくとも１つのみぞ（flute）(20)を画成する少なくとも１つのフランク（flank）(22)に設け、前記みぞ(20)は前記山(14)を不連続な山とする請求項１から請求項３のいずれかに記載のネジ山形成工具。
【請求項５】
複数の平行な環状の山(14)を設け、前記環状の山は環状溝(16)によって分割される、先行する請求項のいずれかに記載のネジ山形成工具。
【請求項６】
ソリッドカーバイド材（solid carbide material）から作られる、先行する請求項のいずれかに記載のネジ山形成工具。
【請求項７】
先行する請求項のいずれかに記載のネジ山形成工具を、該工具を自軸周りに回転させながら該工具の直径よりも大きな直径の開口部の中へ導入し、該開口部の内周に沿った回転ごとに所定の割合で該工具を該開口部の中に移動させながら該開口部の内周に沿った円運動を行い、これによって所定のピッチのネジ山を形成するネジ山形成方法。
【発明の詳細な説明】
【技術分野】
【０００１】
本発明は、第一の端部に接続部と、第二の端部にネジ山形成部を有する長くしたボデーとを含み、前記ネジ山形成部は前記ボデーの周囲に少なくとも１つの環状の山を含む、ネジ山形成工具に関する。
【０００２】
さらに、本発明は、このようなネジ山形成工具によってネジ山を形成する方法に関する。
【背景技術】
【０００３】
このようなネジ山形成工具はUS-A-5678962により知られている。しかしこれには、切削中に切り屑が内壁から取り除かれ、切削作業を妨げるという不都合がある。また、切削速度も比較的遅い。
【発明の開示】
【発明が解決しようとする課題】
【０００４】
本発明の目的は、改良されたネジ山形成工具を提供することにある。
【課題を解決するための手段】
【０００５】
この目的は、前記ネジ山の中心での前記ボデーの横断面が非円形を有するところの最初に規定された種類の工具によって達成された。
【０００６】
また、この目的は、ネジ山形成工具を自軸周りに回転させながら該工具の直径よりも大きな直径の開口部の中へ導入し、該開口部の内周に沿った回転ごとに所定の割合で該工具を該開口部の中に移動させながら該開口部の内周に沿った円運動を行い、これによって所定のピッチのネジ山を形成することを含むところの最初に規定された種類の方法によって達成された。
【０００７】
この工具の比較的小さな部分が壁に接触するので、熱の放出がより少なくなり、最新の従来技術の工具に関する事例に比べて、より長い工具寿命及び／又はより速いネジ山形成作業が達成される。
【０００８】
前記横断面は、少なくとも３つのローブ（lobe）を含むことが好適である。これによってネジ山形成部材が達成される。
【０００９】
前記環状の山は、長くしたボデーの軸方向の延長に対して垂直であることが好ましい。
【００１０】
前記環状の山は、冷却液の供給を可能とするための少なくとも１つのみぞ（flute）を画成する少なくとも１つのフランク（flank）に設け、前記みぞは前記山を不連続な山とすることが適当である。
【００１１】
また、複数の平行な環状の山を設けることが有益である。これによって、効率的なネジ山の形成が達成される。
【００１２】
ネジ山形成工具はソリッドカーバイド材（solid carbide material）から作られることが好ましい。
【発明を実施するための最良の形態】
【００１３】
添付の図面を参照し、以下本発明をより詳細に説明する。
【００１４】
図１は長くしたボデー4をもつネジ山形成工具2を示す。第一の端部6には、接続部8を設け、また、第二の端部10には、ネジ山形成部12を設ける。工具2は、高速度鋼（high speed steel）製又はソリッドカーバイド材（solid carbide material）製とすることが好ましい。接続部8はボール盤、フライス盤やねじ立て盤のツールホルダーへの接続のために用いる。
【００１５】
ネジ山形成部12には単一の環状の山14が設けられる。
【００１６】
図２では、ネジ山形成部12には複数の環状の山14を設け、隣接した山は、それらの間に環状の溝16を画成している。この山はこのようにして分離され、つるまきを形成していない。
【００１７】
図３には、図１および図２それぞれに示した山14の横断面図を示す。その山は非円形の直径をもつ。特に、５つのローブ（lobe）18が、つるまきネジを形成するように、開口部の内壁を塑性変形するために設けられる。
【００１８】
図４および図５には、４つのフランク（flank）22により画成された、４つのみぞ（flute）20の備えが示されている。この場合、４つのローブ18が設けられる。みぞ20とフランク22は、ボデー4の長軸方向に延び、それぞれの山14の周方向の延長を中断する。それぞれの山は、このようにみぞによって４回にわたって中断されている。そのみぞは冷却流体の供給のために設けられている。
【００１９】
ネジ山形成工具は、高速度鋼を使ってもよいが、ソリッドカーバイド材製とすることが好ましい。
【００２０】
動作
ネジ山形成工具を自軸周りに回転させながら該工具の直径よりも大きな直径の開口部の中へ導入する。該開口部の内周に沿った回転ごとに所定の割合で前記工具を該開口部の中に移動させながら、円運動は、開口部の内周に沿って行われる。こうして、開口部の内壁を塑性変形させることにより、所定のピッチのネジ山を形成する。
【００２１】
もちろん、例えば３つまたは８つのように４個未満又は５つを超える個数のローブを設けてもよい。さらに、選択したローブの数に応じて、４つを超える個数の又は４個未満のみぞを設けてもよい。
【００２２】
もちろん、図１に示した山に１つ以上のみぞを設けてもよい。
【図面の簡単な説明】
【００２３】
【図１】図１は、１つの環状の山を備えるネジ山形成工具を示している。
【図２】図２は、複数の山を備えるネジ山形成工具を示している。
【図３】図３は、図１および図２に示したネジ山形成工具のそれぞれIII−III線に沿った横断面図である。
【図４】図４は、４つのみぞを設けたネジ山形成工具を示している。
【図５】図５は、図４に示したネジ山形成工具のＶ−Ｖ線に沿った横断面図である。
【国際公開パンフレット】
2005506207.tif 000003
2005506207.tif 000004
2005506207.tif 000005
2005506207.tif 000006
2005506207.tif 000007
2005506207.tif 000008
2005506207.tif 000009
2005506207.tif 000010
2005506207.tif 000011
2005506207.tif 000012
【国際調査報告】
2005506207.tif 000013
2005506207.tif 000014
2005506207.tif 000015